(57)【要約】本発明はケーブルトレイ用充電式油圧パンチング機に関するもので、直線上にバッテリー、取っ手、モーター、油圧シリンダー、パンチ、ダイスの順に構成され、油圧シリンダーとヘッドに結合されるＣ字形のヘッドが構成され、パンチとダイスはＣ字形のヘッドにおいて開放した両端にそれぞれ構成され、パンチの両側に離隔するようにヘッドにパンチガードが構成され、バッテリーは充電及び着脱可能に構成され、モーターはバッテリーの電力によって動力を油圧シリンダーに伝達し、油圧シリンダーはモーターの動力による油圧でパンチをダイスの方向に押し出してケーブルトレイの組立ホールをパンチングし、バッテリーの充電及び交替が可能であって携帯及び使用が容易であるケーブルトレイ用充電式油圧パンチング機に関するものである。【選択図】  図２
2021529665.tif 000002
【特許請求の範囲】
【請求項１】
充電用のバッテリー、前記バッテリーの一側に構成され、前記バッテリーが着脱される取っ手、及び前記取っ手から突出し、前記バッテリーの電力供給を調節するスイッチを含む取っ手部と、
前記取っ手の一側に構成され、前記バッテリーの電力で動力を供給するモーター、前記モーターの一側に構成され、前記モーターの動力によって油圧を加える油圧シリンダー、及び前記油圧シリンダーの一側に構成され、前記油圧シリンダーの油圧によって一側と他側に移動するパンチを含む作動部と、
Ｃ字形の開放した両端のうち他側端部に前記パンチが構成されるヘッド、前記パンチの両側に離隔するように前記ヘッドに構成される二つのパンチガード、前記ヘッドの開放した両端のうち一側端部に構成されるダイス、及び前記ダイスに一側に貫通され、前記パンチが挿入されるパンチホールを含むヘッド部と、を含み、
組立ホールをパンチングすべきケーブルトレイを前記パンチと前記ダイスとの間に入れてパンチングするように構成され、
前記バッテリーの充電及び交替が可能であって携帯及び使用が容易である、ケーブルトレイ用充電式油圧パンチング機。
【請求項２】
前記ヘッド部の前記パンチガードにはそれぞれ結合ホールが形成され、
前記ヘッドの開放方向に長い板状構造を有するように平行に構成され、一側の間に二つの前記パンチガードが結合される二枚のペン支持板、前記ペン支持板の一側からそれぞれ内側に突出して前記結合ホールに結合される結合突起、前記結合突起の他側で両前記ペン支持板を連結する連結板、前記連結板の他側の前記ペン支持板に長手方向にそれぞれ形成された長孔、前記長孔が形成された両前記ペン支持板の間に構成されるマーキングペンブロック、前記マーキングペンブロックから垂直に突出したマーキングペン、及び前記長孔をそれぞれ貫通して前記マーキングペンブロックに螺合される固定ネジを含むマーキングペン部をさらに含み、
前記マーキングペン部の一側に前記パンチガードを結合し、他側の前記マーキングペンブロックの前記長孔に沿って次のパンチング位置に移動し、前記固定ネジで前記マーキングペンブロックを固定することにより、前記ケーブルトレイの前記組立ホールのパンチングの際、次のパンチング位置をマーキングすることができる、請求項１に記載のケーブルトレイ用充電式油圧パンチング機。
【請求項３】
前記ヘッド部の前記パンチガードにはそれぞれ結合ホールが形成され、
前記ヘッドの開放方向に対して垂直に延びるガイド部材、前記ガイド部材から厚さ方向の一側に平行に突出し、両前記パンチガードが突出部の内部に結合される二枚の結合板、前記結合板からそれぞれ内側に突出して前記結合ホールに結合される結合突起、厚さ方向の他側の前記ガイド部材に長手方向に平行に形成される２列のガイド溝、前記ガイド部材の長手方向の両側にそれぞれ構成されるガイド、各前記ガイドにおいて前記ガイド溝に沿って延び、前記ガイド溝に沿って移動可能な支持棒、各前記支持棒に長手方向に形成された長孔、及び各前記支持棒の前記長孔を貫通して前記ガイド部材に結合される固定ネジを含むガイド部をさらに含み、
両前記結合板の間に両前記パンチガードを結合し、前記ケーブルトレイのサイドレールのうち、パンチング位置から前記サイドレールの‘コ’字形断面の両端までの距離に合わせて両前記ガイド間の距離を調節して前記サイドレールの幅をガイドすることにより、前記ケーブルトレイの前記サイドレールにおいてパンチング位置の調整が容易である、請求項１に記載のケーブルトレイ用充電式油圧パンチング機。
【請求項４】
前記ヘッド部の前記パンチガードにはそれぞれ結合ホールが形成され、
前記ケーブルトレイのサイドレールに密着するジグ板、前記ジグ板の一側端部から突出して折り曲げられ、前記サイドレールの端部が係止又は係合される係止フック、前記ジグ板の一側端部からそれぞれのパンチング位置まで開放した流入路、パンチング位置ごとに前記流入路の縁部に沿って突出し、両前記パンチガードが内部に結合される結合板、及び向き合う前記結合板ごとに、内側に突出して前記結合ホールに結合される結合突起を含むジグ部をさらに含み、
前記サイドレールに前記ジグ板を密着して前記サイドレールの端部を前記係止フックに係合し、パンチング位置ごとに両前記パンチガードを前記流入路に沿って移動して前記結合板内に挿入してパンチングすることにより、前記ケーブルトレイの前記組立ホールのパンチングが容易である、請求項１に記載のケーブルトレイ用充電式油圧パンチング機。
【請求項５】
前記ヘッド部の前記ヘッドは開放方向の反対側に形成された空間の端部からパンチまでの直線距離が８０〜１３０ｍｍ、前記パンチ及び前記パンチガードから前記ダイスまでの直線距離が２０〜３０ｍｍとなるように形成され、空間の端部に開放方向の反対側に貫通された移動ホールが形成され、
前記ヘッド部は、前記移動ホールを貫通して前記ヘッドの空間を塞ぐ移動制限具を含み、
前記移動制限具は、長さ８０〜１３０ｍｍの長孔が形成され、前記長孔を貫通して前記ヘッドに螺合される固定ネジを含み、
前記ケーブルトレイの端部からパンチング位置までの長さだけ前記移動制限具の位置を調節し、前記ケーブルトレイを前記ヘッドの内側に挿入してパンチングすることにより、前記ケーブルトレイのパンチング位置の調整が容易である、請求項１〜４のいずれか一項に記載のケーブルトレイ用充電式油圧パンチング機。
【発明の詳細な説明】
【技術分野】
【０００１】
本発明はケーブルトレイ用充電式油圧パンチング機に関するもので、直線上にバッテリー、取っ手、モーター、油圧シリンダー、パンチ、ダイスの順に構成され、油圧シリンダーとヘッドに結合されるＣ字形のヘッドが構成され、パンチとダイスはＣ字形のヘッドにおいて開放した両端にそれぞれ構成され、パンチの両側に離隔するようにヘッドにパンチガードが構成され、バッテリーは充電及び着脱可能に構成され、モーターはバッテリーの電力によって動力を油圧シリンダーに伝達し、油圧シリンダーはモーターの動力による油圧でパンチをダイスの方向に押し出してケーブルトレイの組立ホールをパンチングし、バッテリーの充電及び交替が可能であって携帯及び使用が容易であるケーブルトレイ用充電式油圧パンチング機に関するものである。
【背景技術】
【０００２】
一般に、ケーブルトレイは天井、床又は壁体に沿って配線される多数本のケーブルを整理するためのものであり、梯子形構造を有するように形成され、ケーブルが配線される場所に合わせて直線状又は曲線状に取り付けられ、壁とケーブルトレイとの間の空間に多数本のケーブルが整頓された状態で支持固定する。
【０００３】
そして、通常のケーブルトレイは、図１に示すように、‘コ’字形の断面が互いに向き合う状態で長手方向に平行に構成される二つのサイドレール（ｓｉｄｅ  ｒａｉｌ）２１と、互いに向き合う二つのサイドレール２１の間に一定の間隔ごとに連結される横木（ｒｕｎｇ）２３とから構成され、ケーブルトレイ２の延長又は曲線ケーブルトレイ２との連結のためのジョイントコネクタ２４が構成される。このジョイントコネクタ２４は互いに突き合わせられる両サイドレール２１の外側を覆う‘コ’字形断面に形成され、両サイドレール２１とジョイントコネクタ２４に互いに対応する組立ホール２２が穿孔され、互いに一致した両サイドレール２１とジョイントコネクタ２４の組立ホール２２を通してボルト２６で螺合して連結する。
【０００４】
ここで、ジョイントコネクタ２４で両ケーブルトレイ２を連結するとき、ボンディングジャンパー２５もさらに構成し、ボンディングジャンパー２５の両端と両ケーブルトレイ２のサイドレール２１に互いに対応する組立ホール２２を穿孔し、ボルト２６で螺合する。
【０００５】
ここで、サイドレール２１に穿孔された組立ホール２２は計画した長さと計画した連結位置に予め穿孔されるが、現場での誤差、計画変更などの理由で、現場でサイドレール２１に組立ホール２２を穿孔しなければならない場合が生じる。この場合、従来には、穿孔すべき位置を定木で設定し、設定された位置を表示し、表示された位置にドリルで組立ホール２２を穿孔した。
【０００６】
このような従来のケーブルトレイ２の組立ホール２２の穿孔において、より早くて便利でありながらも正確な施工のための技術が開発されている。その例として、韓国公開特許第２０１３−００８４８４７号公報の“アンカードリルを用いたケーブルトレイパンチング工具”には、組立孔がない他のケーブルトレイに組立孔を穿孔するために前記ケーブルトレイが挿入されるための結合溝を有し、前記ケーブルトレイに形成された組立孔の位置と同じ位置に形成される加工孔を有する固定部材と、前記固定部材と同じ深さの結合溝及び加工孔を有する移動部材と、前記固定部材から前記移動部材を前後に移動させてケーブルトレイの上下幅に合わせて調節することができるように取り付けられる調節部材と、前記固定部材及び移動部材の結合溝にケーブルトレイが挿入された状態で動くことを防止するために、前記固定部材及び移動部材の上端にそれぞれ取り付けられる固定ボルトと、前記固定ボルトによって固定されたケーブルトレイに、前記固定部材及び移動部材に形成された加工孔を通して多数の組立孔を開けるためのアンカードリルとから構成されたケーブルトレイパンチング工具が開示されている。
【先行技術文献】
【特許文献】
【０００７】
【特許文献１】韓国公開特許第２０１３−００８４８４７号公報
【発明の概要】
【発明が解決しようとする課題】
【０００８】
しかし、韓国公開特許第２０１３−００８４８４７号公報の“アンカードリルを用いたケーブルトレイパンチング工具”は、固定部材、移動部材、調節部材及び固定ボルトを含んで、穿孔すべき組立ホールを表示及びガイドするが、アンカードリルでケーブルトレイの組立ホールを穿孔するから、アンカードリルによる鋭いスクラップが分散され、分散された鋭いスクラップによって製品に傷がつくか使用者の皮膚に傷つける危険があり、アンカードリルが電気線を介して電気を受けるから、電気線の長さによる移動制限があり、使用時に電気線を連結する面倒さと電気線によって邪魔になるなどの問題点があった。
【０００９】
また、電気ドリルを用いてケーブルトレイの組立ホールを穿孔する従来の方法にも同じ問題点があった。
【００１０】
よって、使用及び携帯が簡便でありながらもケーブルトレイの組立ホールの穿孔が容易である装置の開発が必要になった。
【課題を解決するための手段】
【００１１】
したがって、本発明は前述した問題点を解決するために、直線上にバッテリー、取っ手、モーター、油圧シリンダー、パンチ、ダイスの順に構成され、油圧シリンダーとヘッドに結合されるＣ字形のヘッドが構成され、パンチとダイスはＣ字形のヘッドにおいて開放した両端にそれぞれ構成され、パンチの両側に離隔するようにヘッドにパンチガードが構成され、バッテリーは充電及び着脱可能に構成され、モーターはバッテリーの電力によって動力を油圧シリンダーに伝達し、油圧シリンダーはモーターの動力による油圧でパンチをダイスの方向に押し出してケーブルトレイの組立ホールをパンチングし、バッテリーの充電及び交替が可能であって携帯及び使用が容易であるようにする。
【００１２】
ここで、ヘッドは開放側の反対側内側端からパンチまでの直線長さが８０〜１３０ｍｍとなるように形成され、ヘッドの開放側の反対側内側端からパンチまで移動可能な移動制限具を含み、ケーブルトレイの端部からパンチング位置までの長さ位移動制限具の位置を調節し、ケーブルトレイをヘッドの内側に挿入してパンチングすることにより、ケーブルトレイのパンチング位置の調整が容易になるようにする。
【００１３】
また、パンチガードに結合されるマーキングペン部、ガイド部及びジグ部を備え、使用用途によって結合することにより、パンチングの際、結合されたマーキングペン部で次のパンチング位置をマーキングし、結合されたガイド部によってパンチング位置に向けてガイドし、結合されたジグ部によってパンチング位置に固定することができるので、使用が容易になるようにする。
【発明の効果】
【００１４】
このように、本発明は、バッテリーの充電及び交替が可能であって携帯及び使用が容易であり、油圧パンチングするので、ドリル穿孔とは違い、組立ホールの形成による周辺汚染の少ない効果がある。
【００１５】
また、結合されるマーキングペン部によって次のパンチング位置の把握が容易であり、結合されるガイド部によってガイドされてパンチング位置に容易に移動し、結合されるジグ部によってパンチング位置を捜して固定することができるので、使用が容易な効果がある。
【図面の簡単な説明】
【００１６】
【図１】従来のケーブルトレイの結合斜視図である。
【図２】本発明の例示によるケーブルトレイ用充電式油圧パンチング機の斜視図である。
【図３】図２の油圧パンチング機の使用斜視図である。
【図４】図３のＡの側面図である。
【図５】本発明の例示によってマーキングペン部を結合する油圧パンチング機の斜視図である。
【図６】図５の分解斜視図である。
【図７】図５の油圧パンチング機の使用側面図である。
【図８】本発明の例示によってガイド部を結合する油圧パンチング機の斜視図である。
【図９】図８の分解斜視図である。
【図１０】図８の油圧パンチング機の使用斜視図である。
【図１１】本発明の例示によってパンチング位置固定部を結合する油圧パンチング機の斜視図である。
【図１２】図１１の油圧パンチング機の使用斜視図である。
【発明を実施するための形態】
【００１７】
本発明はケーブルトレイ用充電式油圧パンチング機に関するもので、直線上にバッテリー、取っ手、モーター、油圧シリンダー、パンチ、ダイスの順に構成され、油圧シリンダーとヘッドに結合されるＣ字形のヘッドが構成され、パンチとダイスはＣ字形のヘッドにおいて開放した両端にそれぞれ構成され、パンチの両側に離隔するようにヘッドにパンチガードが構成され、バッテリーは充電及び着脱可能に構成され、モーターはバッテリーの電力によって動力を油圧シリンダーに伝達し、油圧シリンダーはモーターの動力による油圧でパンチをダイスの方向に押し出してケーブルトレイの組立ホールをパンチングし、バッテリーの充電及び交替が可能であって携帯及び使用が容易であるケーブルトレイ用充電式油圧パンチング機に関するものである。
【００１８】
本発明は、取っ手部、作動部、ヘッド部及びこれに結合されるマーキングペン部、ガイド部、及びジグ部を含む。これを順次説明すれば次のようである。
【００１９】
まず、取っ手部１１０は、バッテリー１１１、取っ手１１２及びスイッチ１１３を含む。バッテリー１１１は充電可能であり、取っ手１１２に着脱可能な構造を有するように構成され、取っ手１１２はバッテリー１１１の一側に棒状構造を有するように構成され、スイッチ１１３は取っ手１１２から突出し、操作の際、バッテリー１１１の電力を連結又は遮断し、電力の供給量を調節する。
【００２０】
次に、作動部１２０は、モーター１２１、油圧シリンダー１２２及びパンチ１２３を含む。モーター１２１は取っ手１１２の一側に構成され、バッテリー１１１の電力によって油圧シリンダー１２２に動力を供給し、油圧シリンダー１２２はモーター１２１の一側に構成され、モーター１２１の動力によってパンチ１２３を油圧で一側又は他側に移動させる。
【００２１】
そして、パンチ１２３はケーブルトレイ２の組立ホール２２の直径である５〜１５ｍｍの直径の円形又は楕円形又は四角形又は多角形の柱状に形成され、油圧シリンダー１２２の一側に構成され、図２に示すように、前述したバッテリー１１１、取っ手１１２、モーター１２１、油圧シリンダー１２２及びパンチ１２３が同一直線上に順次構成される。
【００２２】
次に、ヘッド部１３０は、ヘッド１３１、パンチガード１３３、ダイス１３５及び移動制限具１３７を含む。ヘッド１３１は、図２に示すように、Ｃ字形又は‘コ’字形の構造を有し、開放方向に延び、開放した両端の一側にダイス１３５が構成され、開放した両端の他側にパンチ１２３が構成され、パンチ１２３が構成された他側に油圧シリンダー１２２が連結される。
【００２３】
ここで、ヘッド１３１は、図９に示すように、開放方向の反対側に空間が形成される。この空間の端部からパンチ１２３までの直線距離はケーブルトレイ２のジョイントコネクタ２４及びボンディングジャンパー２５の長さの半分である８０〜１３０ｍｍであり、この空間の端部の両側に開放方向の反対側に移動制限具１３７の断面に対応する移動ホール１３２が貫設される。
【００２４】
そして、パンチガード１３３は、図２に示すように、パンチ１２３の両側に離隔するようにヘッド１３１にそれぞれ構成される板状の構造を有し、パンチ１２３の直径より広く、油圧シリンダー１２２側に引かれたパンチ１２３より高く、直線上でパンチガード１３３とダイス１３５との間の間隔が２０〜３０ｍｍとなるように離隔して、ケーブルトレイ２のサイドレール２１の測板が充分に入ることができる空間を形成し、図５、図８及び図１１に示すように、後述するマーキングペン部１４０、ガイド部１５０及びジグ部１６０が結合される結合ホール１３４がそれぞれ形成される。
【００２５】
そして、ダイス１３５はヘッド１３１の開放した両端の一側に構成され、パンチ１２３が移動する同一直線上でパンチ１２３から離隔し、図４に示すように、パンチ１２３に対応してパンチ１２３が挿入されるパンチホール１３６が一側に貫設される。
【００２６】
ここで、ダイス１３５とパンチ１２３は、使用者の選択によって、他の直径又は形態のダイス１３５とパンチ１２３に替えてヘッド１３１に結合して使うことができる。
【００２７】
そして、移動制限具１３７は、図９に示すように、両移動ホール１３２を貫通する板が四角形に折り曲げられてヘッド１３１の空間を遮りながらヘッド１３１を取り囲み、両側に長さ８０〜１３０ｍｍの長孔１３８が形成され、この長孔１３８を通してヘッド１３１に螺合される固定ネジ１３９を含む。
【００２８】
次に、マーキングペン部１４０は、図５に示すように、ペン支持板１４１及びマーキングペンブロック１４５を含む。ペン支持板１４１は、図６に示すように、ヘッド１３１の開放方向に長い板構造の二枚が平行に構成され、長手方向の一側の間に両パンチガード１３３が結合され、ペン支持板１４１の一側からそれぞれ内側に結合突起１４２が形成されてパンチガード１３３の結合ホール１３４に結合され、結合突起１４２の他側、すなわちパンチガード１３３が結合される部分の端部に両ペン支持板１４１を連結する連結板１４３が形成され、連結板１４３の他側のペン支持板１４１に長手方向にそれぞれ長さ４０〜５０ｍｍの長孔１４４が形成される。
【００２９】
そして、マーキングペンブロック１４５は、図５に示すように、長孔１４４が形成された両ペン支持板１４１の間に構成され、長孔１４４に沿って移動可能であり、長孔１４４の長手方向に対して垂直にマーキングペン１４６が突出し、ペン支持板１４１の長孔１４４をそれぞれ貫通してマーキングペンブロック１４５に螺合される固定ネジ１４７を含む。
【００３０】
次に、ガイド部１５０は、図８に示すように、ガイド部材１５１及びガイド１５５を含む。ガイド部材１５１は、図９に示すように、ヘッド１３１の開放方向に対して垂直方向に３０〜４０ｍｍの長さを有し、両パンチガード１３３を遮り、ガイド部材１５１の厚さ方向の一側に二枚の結合板１５２が平行に突出し、突出した両結合板１５２の間に両パンチガード１３３が結合され、結合板１５２から内側にそれぞれパンチガード１３３の結合ホール１３４に結合される結合突起１５３が突出し、厚さ方向の他側に長手方向にガイド溝１５４が２列に平行に延びる。
【００３１】
そして、ガイド１５５はガイド部材１５１の長手方向の両側にそれぞれ構成され、各ガイド１５５は各ガイド溝１５４に沿って３０〜４０ｍｍの長さに延びる支持棒１５６が構成され、図８及び図１０に示すように、ガイド溝１５４に沿って移動可能であり、各支持棒１５６に長手方向に沿って長孔１５７がそれぞれ形成され、各支持棒１５６の長孔１５７を貫通してガイド部材１５１に結合される固定ネジ１５８を含む。
【００３２】
ここで、それぞれの固定ネジ１５８は長孔１５７を貫通してガイド溝１５４内のガイド部材１５１に螺合され、該当ガイド１５５が位置する側の端部に螺合される。
【００３３】
次に、ジグ部１６０は、図１１に示すように、ケーブルトレイ２のサイドレール２１に密着するジグ板１６１を含む。ジグ板１６１の一側端部から突出して折り曲げられ、サイドレール２１の端部が係止又は係合される係止フック１６２が形成され、サイドレール２１に密着したジグ板１６１のパンチング位置ごとに、ジグ板１６１の一側端部からそれぞれのパンチング位置まで開放した流入路１６３が形成され、流入路１６３のパンチング位置ごとに、縁部に沿って結合板１６４が突出し、この結合板１６４の間に両パンチガード１３３が結合され、向き合う結合板１６４ごとに、パンチガード１３３の結合ホール１３４に結合される結合突起１６５が内側に突出する。
【００３４】
ここで、サイドレール２１に４個又は５個の組立ホール２２がパンチングされなければならないので、ジグ板１６１は短ジグ板型と長ジグ板型に構成される。短ジグ板型はジグ板１６１が短く構成され、この短いジグ板１６１に、パンチングすべきサイドレール２１の一側の両組立ホール２２に対応して流入路１６３と結合板１６４が形成され、長ジグ板型はジグ板１６１が長く構成され、サイドレール２２において短いジグ板型１６１に対応する組立ホール２２の次の２個又は３個の組立ホール２２に対応して長いジグ板１６１に流入路１６３と結合板１６４が形成される。
【００３５】
このように構成されるケーブルトレイ用充電式油圧パンチング機１は、ケーブルトレイ２の組立ホール２２をパンチングする。まず、ケーブルトレイ２の組立ホール２２は、図１に示すように、ケーブルトレイ２の延長、規格ケーブルトレイ２の長さ変更、曲線ケーブルトレイ２の連結などのために、突き合わせられたケーブルトレイ２の両サイドレール２１と、これをそれぞれ覆うジョイントコネクタ２４及びボンディングジャンパー２５とに、互いに結合されるようにパンチングされる。
【００３６】
一般に、ケーブルトレイ２が設置される場所、長さ延長又は曲線連結に合わせて予めサイドレール２１、ジョイントコネクタ２４及びボンディングジャンパー２５に組立ホール２２が形成されるが、現場で発生する誤差、計画変更又は規格ケーブルトレイ２の長さ変更によって現場でサイドレール２１を一定の長さに切断し、携帯していた本発明のケーブルトレイ用充電式油圧パンチング機１で組立ホール２２をパンチングする。ここで、組立ホール２２をパンチングすべきサイドレール２１をパンチ１２３とダイス１３５との間に入れ、スイッチ１１３を作動してパンチングする。
【００３７】
ここで、平均長さ１６０ｍｍのジョイントコネクタ２４又は平均長さ２５５ｍｍのボンディングジャンパー２５との結合のための組立ホール２２はサイドレール２１の端部から８０ｍｍ又は１２５ｍｍの距離にあるので、現在パンチングすべきサイドレール２１の組立ホール２２の位置によって８０〜１３０ｍｍ距離のヘッド１３１の空間を塞ぐ移動制限具１３７を移動し、固定ネジ１３９で固定することにより、ヘッド１３１の空間にサイドレール２１がもっと深く入ってパンチング位置がずれることを防止する。
【００３８】
そして、ケーブルトレイ２の設置の際、ケーブルトレイ用充電式油圧パンチング機１を携帯し、別途の電気線の連結なしに、ケーブルトレイ２の組立ホール２２をパンチングし、バッテリー１１１の残量不足の際、他のバッテリー１１１に交替して使用し、使用したバッテリー１１１は充電して使用する。
【００３９】
さらに、ケーブルトレイ２の組立ホール２２をパンチングするとき、マーキングペン部１４０、ガイド部１５０及びジグ部１６０を結合して使うことができる。まず、マーキングペン部１４０は、結合突起１４２が突出した両ペン支持板１４１の一側の間に両パンチガード１３３を結合し、それぞれの結合突起１４２をパンチガード１３３の結合ホール１３４に結合し、マーキングペンブロック１４５を現在パンチングすべき組立ホール２２から次のパンチングすべき組立ホール２２までの距離だけペン支持板１４１に形成された長さ４０〜５０ｍｍの長孔に沿って移動させ、固定ネジ１４７で締めて固定した後、組立ホール２２をパンチングしながら次のパンチング位置をマーキングペン１４６でマーキングする。
【００４０】
次に、ガイド部１５０は、結合突起１５３が突出した両結合板１５２の間に両パンチガード１３３を結合し、それぞれの結合突起１５３をパンチガード１３３の結合ホール１３４に結合し、ガイド１５５の支持棒１５６をサイドレール２１の両端からパンチングすべき組立ホール２２までの距離だけガイド部材１５１に２列に形成された長さ３０〜４０ｍｍのガイド溝１５４に沿ってそれぞれ移動させ、それぞれの固定ネジ１５８を締めて固定した後、サイドレール２１の‘コ’字形断面内に両側のガイド１５５をつけて組立ホール２２のパンチング位置まで移動してパンチングする。
【００４１】
ここで、サイドレール２１に組立ホール２２が長手方向の中心線を基準に対称状に二つずつ形成されるので、いずれか一側の組立ホール２２に合わせて固定されたガイド部１５０はパンチガード１３３から分離し、１８０°回転させて再びパンチガード１３３に結合することにより、長手方向の中心線を基準に対称状の他側の組立ホール２２をガイドすることができる。
【００４２】
次に、ジグ部１６０は、短ジグ板型を先に組立ホール２２をパンチングすべきサイドレール２１に密着してサイドレール２１の端部がジグ板１６１の係止フック１６２の隙間内に係止又は係合するように押し入れた後、パンチガード１３３がジグ板１６１の流入路１６３に沿って移動して流入路１６３の端部の結合板１６４に結合し、結合板１６４の結合突起１６５をパンチガード１３３の結合ホール１３４に結合した後、該当位置の組立ホール２２をパンチングし、他の組立ホール２２をパンチングするために、さらに他の流入路１６３に沿って移動し、結合板１６４にパンチガード１３３を結合してパンチングする。
【００４３】
そして、短ジグ板型のジグ部１６０をサイドレール２１から分離し、長ジグ板型のジグ部１６０をサイドレール２１に結合した後、前述した短ジグ板型と同様に、パンチングすべき組立ホール２２ごとに流入路１６３に沿って移動し、結合板１６４にパンチガード１３３を結合してパンチングする。
【００４４】
このように、本発明は、バッテリー１１１の充電及び交替が可能であって携帯及び使用が容易であり、油圧パンチングすることにより、ドリル穿孔とは違い、組立ホール２２の形成による周辺汚染の少ない特徴がある。
【００４５】
また、結合されるマーキングペン部１４０によって次のパンチング位置の把握が容易であり、結合されるガイド部１５０によってガイドされてパンチング位置への移動が容易であり、結合されるジグ部１６０によってパンチング位置を捜して固定することができるので、使用が容易である特徴がある。
【図１】
2021529665.tif 000003
【図２】
2021529665.tif 000004
【図３】
2021529665.tif 000005
【図４】
2021529665.tif 000006
【図５】
2021529665.tif 000007
【図６】
2021529665.tif 000008
【図７】
2021529665.tif 000009
【図８】
2021529665.tif 000010
【図９】
2021529665.tif 000011
【図１０】
2021529665.tif 000012
【図１１】
2021529665.tif 000013
【図１２】
2021529665.tif 000014
【国際調査報告】
2021529665.tif 000015
2021529665.tif 000016
2021529665.tif 000017
2021529665.tif 000018